(57)【特許請求の範囲】
【請求項１】
第１の端及び前記第１の端に設けられた第１の溝とを有する漏斗胸再建バーと、
第１の通路を有し、かつ、密閉されている第１の固定ユニットと、
第１のコネクタと、
を備える自己調整可能な漏斗胸再建システムであって、
前記漏斗胸再建バーの前記第１の端が前記第１の固定ユニットの前記第１の通路に配置され、
前記第１のコネクタが前記第１の溝を通して前記漏斗胸再建バーを前記第１の固定ユニットに組み付けることにより、前記漏斗胸再建バーの前記第１の溝が前記第１のコネクタを囲んで往復摺動可能となり、
前記第１の通路は、前記第１の溝が前記第１の固定ユニットから露出せずに密閉されるように、その長さが設定されていることを特徴とする自己調整可能な漏斗胸再建システム。
【請求項２】
前記第１の固定ユニットが、前記システムを組織に固定するように構成された第１の貫通孔をさらに備えることを特徴とする請求項１に記載の自己調整可能な漏斗胸再建システム。
【請求項３】
前記第１の溝の延在方向は、前記漏斗胸再建バーの縦方向に平行であることを特徴とする請求項１に記載の自己調整可能な漏斗胸再建システム。
【請求項４】
前記第１の固定ユニットが、弧状構造を有することを特徴とする請求項１に記載の自己調整可能な漏斗胸再建システム。
【請求項５】
第２の固定ユニットと第２のコネクタとをさらに備え、
前記第２の固定ユニットが、前記第２のコネクタにより前記漏斗胸再建バーに組み付けられていることを特徴とする請求項１に記載の自己調整可能な漏斗胸再建システム。
【請求項６】
前記漏斗胸再建バーが、第２の端及び前記第２の端に設けられた第２の溝を備え、
前記第２の固定ユニットが、第２の通路を有し、
前記漏斗胸再建バーの前記第２の端が前記第２の固定ユニットの前記第２の通路に配置され、
前記第２のコネクタが前記第２の溝を通して前記漏斗胸再建バーを第２の固定ユニットに組み付けることにより、前記漏斗胸再建バーの前記第２の溝が前記第２のコネクタを囲んで往復摺動可能となることを特徴とする請求項５に記載の自己調整可能な漏斗胸再建システム。
【請求項７】
前記第２の固定ユニットが、前記システムを組織に固定するように構成された第２の貫通孔をさらに備えることを特徴とする請求項５に記載の自己調整可能な漏斗胸再建システム。
【請求項８】
前記第２の溝の延在方向は、前記漏斗胸再建バーの縦方向に平行であることを特徴とする請求項６に記載の自己調整可能な漏斗胸再建システム。
【請求項９】
前記漏斗胸再建バーが、弧状構造を有することを特徴とする請求項１に記載の自己調整可能な漏斗胸再建システム。
【請求項１０】
前記第２の固定ユニットが、弧状構造を有し、
前記第２の固定ユニットが、密閉され、
前記第２の通路は、前記第２の溝が前記第２の固定ユニットから露出せずに密閉されるように、その長さが設定されていることを特徴とする請求項５に記載の自己調整可能な漏斗胸再建システム。
【発明の詳細な説明】
【技術分野】
【０００１】
本発明は、自己伸縮性であってもよく、患者が呼吸する時に拡張空間を提供して成長の制限を回避できる、自己調整可能な構造を有する漏斗胸再建システムを提供する。
【背景技術】
【０００２】
漏斗胸は、胸骨両側の肋軟骨の過度の異常増殖により、胸骨が陥凹する先天性の疾患であり；症状が深刻な場合は、心臓及び肺が圧迫され、呼吸困難、胸痛、心肺機能不全などの異常な状態を引き起こす。通常、心肺機能不全は、小児期には見られないが、思春期には重症となる。
【０００３】
従来の治療方法としては、肋軟骨の変形を取り除き、肋軟骨を再生させるとともに陥凹した胸骨を引き上げることであった。現在の治療方法としては、従来の治療方法の代わりに低侵襲手術を用いて；切除手術なしで、陥凹した胸骨及び肋軟骨を外方へ押出するために、オーダーメイドされた金属板を胸骨の後ろに配置し、金属板を除去する前に体内に少なくとも２〜４年間保持する必要がある。
【０００４】
しかしながら、ほとんどの整形外科用内固定インプラントは、臨床機能が影響せずに人体の成長または呼吸の変化に応じて長さ、サイズや位置を自動的に調整できず；このため、埋入後の不快感を引き起こし、患者の体の成長に合わせて再埋入が必要な場合さえもある。従って、患者の成長または呼吸の変化に応じて自己調整が可能な骨整形外科用器具を開発する必要がある。
【発明の概要】
【発明が解決しようとする課題】
【０００５】
本発明は、自己伸縮性であってもよく、患者が呼吸する時に患者の痛みや異物感を軽減できる、自己調整可能な構造を有する自己調整可能な漏斗胸再建システムを提供する。また、漏斗胸矯正手術を受ける患者は、子供及び若者が多いため、本発明に係る自己調整可能な構造によれば、成長の制限を回避するための拡張空間を提供することができる。さらに、本発明に係る固定ユニットは、人間工学に適した弧状であり、異物感や患者の皮膚から押し出されるリスクを回避することができる。
【課題を解決するための手段】
【０００６】
本発明は、第１の端及び第１の端に設けられた第１の溝を有する漏斗胸再建バーと、第１の通路を有する第１の固定ユニットと、第１のコネクタとを備え、前記漏斗胸再建バーの前記第１の端が前記第１の固定ユニットの前記第１の通路に組み立てられ、前記第１のコネクタが前記第１の溝を通して前記漏斗胸再建バーを前記第１の固定ユニットに組み付けることにより、前記第１の溝が前記第１のコネクタを囲んで往復摺動可能となる、自己調整可能な漏斗胸再建システムを提供する。第１の固定ユニットは、第１の貫通孔をさらに含み、前記システムは、第１の固定ユニットの第１の貫通孔により組織に固定される。前記システムは、第２の固定ユニットと第２のコネクタとをさらに含み、第２の固定ユニットは、第２のコネクタにより漏斗胸再建バーに組み付けられる。第１の溝の延在方向は、漏斗胸再建バーの縦方向に平行である。漏斗胸再建バーは、患者の胸骨の形状に合わせて弧状構造を有する。
【０００７】
また、本発明は、第２の端及び第２の端に設けられた第２の溝を有する漏斗胸再建バーを備え、第２の固定ユニットが第２の通路を有し、漏斗胸再建バーの第２の端が第２の固定ユニットの第２の通路に組み立てられ、第２のコネクタが第２の溝を通して漏斗胸再建バーを第２の固定ユニットに組み付けることにより、第２の溝が第２のコネクタを囲んで往復摺動可能となる、自己調整可能な漏斗胸再建システムを提供する。第２の固定ユニットは、第２の貫通孔をさらに含み、前記システムは、第２の固定ユニットの第２の貫通孔により組織に固定される。第２の溝の延在方向は、漏斗胸再建バーの縦方向に平行である。
【発明の効果】
【０００８】
漏斗胸再建システムは、患者の体内に長期間にわたり配置される必要があるため、患者のニーズを考慮に入れている。本発明によって提供される自己調整可能な漏斗胸再建システムは、自己調整可能な構造を有し、患者が呼吸する時にその構造を調整することができ、胸骨の動きに応じて溝がコネクタを囲んで往復摺動可能であり、システムの長さを自動的に調整可能にしたので、痛みや異物感を軽減することができる。さらに、前記自己調整可能な構造は、成長の制限を回避するために、患者に拡張空間を提供することができる。
【０００９】
本発明の更なる実施形態において、自己調整可能な漏斗胸再建システムの第１の固定ユニットと第２の固定ユニットは、必要に応じて、患者の胸骨にさらに適して異物感を軽減するための弧状構造を有してもよい。自己調整可能な漏斗胸再建システムにおいて、第１の固定ユニットと第２の固定ユニットは、人体組織が第１の固定ユニットと第２の固定ユニット内に移入されることによるシステムの故障や後日のシステムの除去の困難さを防ぐために、密閉されている。
【００１０】
さらに、本発明は、上記の自己調整可能な漏斗胸再建システムを使用することによる漏斗胸再建方法を提供する。本発明に係る方法は、上記の自己調整可能な漏斗胸再建システムを提供する工程と、漏斗胸再建バーを患者の変形した胸骨の後ろに通す工程と、漏斗胸再建バーを回転させて前記患者の変形した胸骨を所望の位置に上げる工程と、固定ユニットにより漏斗胸再建バーを患者の骨に固定する工程とを備える。
【００１１】
本発明の他の目的、利点及び特徴は、添付の図面と併せて以下の詳細な説明からより明らかになるだろう。
【図面の簡単な説明】
【００１２】
【図１】本発明に係る具体的な実施形態１のシステム図である。
【図２】本発明に係る具体的な実施形態１の組立図である。
【図３】本発明に係る具体的な実施形態１のシステムの一端の断面図である。
【図４】本発明に係る具体的な実施形態２のシステムの一端の断面図である。
【図５】本発明に係る具体的な実施形態３の固定ユニットの模式図である。
【図６】本発明に係る具体的な実施形態４の漏斗胸再建バーの模式図である。
【図７】本発明に係る具体的な実施形態１の漏斗胸矯正を示す模式図である。
【図８】本発明に係る具体的な実施形態１の漏斗胸矯正を示す模式図である。
【発明を実施するための形態】
【００１３】
本発明は、その実施形態に関連して説明されるが、特許請求の範囲に記載された本開示の精神および範囲から逸脱しない限り、他の多くの可能な修正および変更が可能であることを理解されたい。
【００１４】
また、明細書や特許の請求範囲において要素の記述に用いられる序数詞、例えば、「第１の」、「第２の」等の用語は、当該要素がその前の序数詞を有することを表すものではなく、当該要素と他の要素との順序（または製造順序）を表すものでもない。序数詞は、同じ名称を有する要素同士をより明確に区別するためにのみ使用される。
【００１５】
実施形態１
図１は、本発明に係るシステム図である。図２は、図１の組立図である。図３は、前記システムの第１の末端の断面図である。図７は、漏斗胸矯正を示す模式図である。図８は、漏斗胸矯正を示す他の模式図である。
【００１６】
本実施形態の自己調整可能な漏斗胸再建システム１００は、第１の端１０１及び第１の端１０１に設けられた第１の溝１１を有する漏斗胸再建バー１と、第１の通路２１を有する第１の固定ユニット２と、第１のコネクタ３とを備え、前記漏斗胸再建バー１の第１の端１０１が前記第１の固定ユニット２の第１の通路２１に組み立てられ、前記第１のコネクタ３が前記第１の溝１１を通して前記漏斗胸再建バー１を前記第１の固定ユニット２に組み付けることにより、漏斗胸再建バー１の第１の溝１１が第１のコネクタ３を囲んで往復摺動可能となる。第１の固定ユニット２は、第１の貫通孔２２をさらに含み、システム１００は、第１の固定ユニット２の第１の貫通孔２２により組織に固定される。第１の溝１１の延在方向は、漏斗胸再建バー１の縦方向に平行である。
【００１７】
本実施形態の自己調整可能な漏斗胸再建システム１００は、第２の固定ユニット４と第２のコネクタ５とをさらに備える。漏斗胸再建バー１は、第２の端１０２及び第２の端１０２に設けられた第２の溝１２をさらに備え、第２の固定ユニット４が第２の通路４１を有し、漏斗胸再建バー１の第２の端１０２が第２の固定ユニット４の第２の通路４１に組み立てられ、第２のコネクタ５が第２の溝１２を通して漏斗胸再建バー１を第２の固定ユニット４に組み付けることにより、漏斗胸再建バー１の第２の溝１２が第２のコネクタ５を囲んで往復摺動可能となる。また、第２の溝１２の延在方向は、漏斗胸再建バー１の縦方向に平行である。第２の固定ユニット４は、第２の貫通孔４２をさらに備え、システム１００は、第２の固定ユニット４の第２の貫通孔４２により組織に固定される。
【００１８】
図７を参照すると、人体組織に固定された本実施形態の第１の端１０１と第２の端１０２の断面図を示し、人体が呼気状態にある時に、胸骨は元の位置にある。図８を参照すると、人体組織に固定された本実施形態の第１の端１０１と第２の端１０２の断面図を示し、人体が吸気状態にある時に、胸骨は持ち上げられる。本発明は、自己調整可能な構造を有するため、患者が呼吸している時に、その構造を調整することができる。胸骨の動きに応じて、漏斗胸再建バー１の溝がコネクタを囲んで往復摺動可能であるため、システムの長さを自動的に調整し、痛みや異物感を軽減する。また、本発明の自己調整可能な構造は、成長の制限を回避するために、患者に拡張空間を提供する。図７及び図８に示すように、漏斗胸再建バー１と第１の固定ユニット２及び第２の固定ユニット４との間の相対位置を明確に示すために、第１の固定ユニット２及び第２の固定ユニット４を断面図で示す。一つの具体的な実施形態において、患者に使用される第１の固定ユニット２と第２の固定ユニット４は、図７及び図８に示されるように表すことができる。実際の状況では、第１の固定ユニット２と第２の固定ユニット４は、図１及び図２に示されるように表され得る。
【００１９】
漏斗胸再建バー１の材料は、当技術分野での公知の材料、例えば、ステンレス鋼、チタン合金等から選択することができ、溝は、棒状、例えば、楕円状または矩形状とすることができる。固定ユニットの材料は、漏斗胸再建バーと同一または異なってもよく、当技術分野での公知の材料、例えば、ステンレス鋼、チタン合金等から選択することができる。コネクタは、任意の固定要素であってもよい。第１の固定ユニット及び第２の固定ユニットは、人体組織が第１の固定ユニット及び第２の固定ユニット内に移入されることによるシステムの故障や後日のシステムの除去の困難さを防ぐために、密閉されている。
【００２０】
実施形態２
図４は、本発明に係るシステム１００の一端の断面図であり、本実施形態の自己調整可能な漏斗胸再建システム１００は、下記の相違点を除いて実施形態１のものと同様である。
【００２１】
図４を参照すると、本実施形態では、第１の固定ユニット２及び／または第２の固定ユニット（図示せず）は、必要に応じて弧状構造を有してもよい。また、漏斗胸再建バー１は、患者の胸骨の形状に合わせて弧状構造を有する。第１の固定ユニット２、第２の固定ユニット及び／または漏斗胸再建バー１が弧状構造を有する場合、前記システム１００は、患者の胸骨にさらに適して、異物感や患者の皮膚から押し出されるリスクを回避することができる。
【００２２】
実施形態３
図５は、本発明に係る固定ユニットの模式図である。図１〜４に示されるように、実施形態１または実施形態２の漏斗胸再建システム１００によれば、第１の固定ユニット２の第１の貫通孔２２及び／または第２の固定ユニット４の第２の貫通孔４２は、複数であってもよい。本実施形態において、第１の固定ユニット６の貫通孔６２及び／または第２の固定ユニット（図示せず）の貫通孔は、複数で前記第１の固定ユニット６の両端に設置されてもよい。第１の固定ユニット６及び／または第２の固定ユニットの貫通孔の数及び設置位置は、特に制限されず、システム１００を組織に固定できるものであればよい。
【００２３】
実施形態４
図６は、本発明に係る漏斗胸再建バー１の模式図であり、本実施形態の自己調整可能な漏斗胸再建システム１００は、下記の相違点を除いて実施形態１と同様である。
【００２４】
図６を参照すると、本実施形態では、漏斗胸再建バー１は、第１の端１０１及び第１の端１０１に設けられた第１の溝１１を有するが、漏斗胸再建バー１の第２の端１０２には第２の溝が設けられていない。従って、本実施形態の自己調整可能な漏斗胸再建システム１００は、一端に自己調整可能な構造が１つだけ設けられている。このため、再建システム１００の一つの態様は、システムの一端が自己調整可能であるのに対し、他端が自己調整不可能である。
【００２５】
実施形態５
本実施形態では、患者の前胸壁の湾曲に応じて、再建システムのオーダーメイドされた漏斗胸再建バーを提供する。また、前腋窩線と後腋窩線との間において、側胸壁の各側に長さ１．５ｃｍ〜２ｃｍの切り目を切開して、自己調整可能な漏斗胸再建バーを患者の変形した胸骨の後ろに挿入することにより、陥凹した胸骨と変形した肋軟骨を押し上げる。前記漏斗胸再建バーを回転させることで、変形した胸骨を所望の位置に押し上げ、固定ユニットにより前記バーを患者の骨に固定する。患者の年齢と状況に応じて、前記漏斗胸再建システムは、患者の体内に２〜４年間保持され、胸骨の形状が固定された後に除去される。
【００２６】
従来の手術と比較すると、本発明に係る自己調整可能な漏斗胸再建システムは、手術時間がより短く、切り口がより小さく、切開がより少なく、胸骨の骨折がより少なく、痛みがより少なく、術後の回復がより早く、入院時間がより短く、患者の前胸壁の骨の弾性が維持される低侵襲手術を提供する。
【００２７】
本発明に係る自己調整可能な漏斗胸再建システムは、患者が呼吸する時に患者の痛みや異物感を軽減するために、自己伸縮性であってもよい。また、患者の体の成長の制限を回避するために、拡張空間を提供する。さらに、本発明に係る固定ユニットは、人間工学に適合させるために弧状であってもよく、異物感や皮膚から押し出されるリスクを回避することができる。
【００２８】
上記の実施形態は、単なる例示として解釈されるべきであり、決して本発明の他の内容を限定するものではないことを理解されたい。
【符号の説明】
【００２９】
１  漏斗胸再建バー
２  第１の固定ユニット
３  第１のコネクタ
４  第２の固定ユニット
５  第２のコネクタ
６  第１の固定ユニット
１１  第１の溝
１２  第２の溝
２１  第１の通路
２２  第１の貫通孔
４１  第２の通路
４２  第２の貫通孔
６２  貫通孔
【図１】
0006902158.tif 000002
【図２】
0006902158.tif 000003
【図３】
0006902158.tif 000004
【図４】
0006902158.tif 000005
【図５】
0006902158.tif 000006
【図６】
0006902158.tif 000007
【図７】
0006902158.tif 000008
【図８】
0006902158.tif 000009